(57)【要約】      （修正有）【課題】遠投する際に距離を稼げる上、方向性もよく、海面に着水してから、手元に引き寄せるまで視認するのが容易で、かつ魚信を察知可能なサヨリ釣用遠投浮き及びサヨリ釣用遠投仕掛けを提供する。【解決手段】両端が次第に細くなった円柱体２にプロペラ４が軸支されたサヨリ釣用遠投浮きであって、円柱体２は、海水よりも比重が小さい浮力生成部５と海水よりも比重が大きい錘力生成部６とを有し、プロペラ４は、浮力生成部５の端から所定長突出した軸３に回転自在、かつ移動自在に軸支されたことを特徴とする。【選択図】図１
0003203436.tif 000002
【実用新案登録請求の範囲】
【請求項１】
両端が次第に細くなった円柱体に複葉の翼が軸支されたサヨリ釣用遠投浮きであって、前記円柱体は、海水よりも比重が小さい浮力生成部と海水よりも比重が大きい錘力生成部とを有し、前記翼は、前記浮力生成部の端から所定長突出した軸に回転自在、かつ移動自在に軸支されたことを特徴とするサヨリ釣用遠投浮き。
【請求項２】
前記軸は、前記円柱体を貫通した両端それぞれに環状部が形成され、該環状部それぞれのうちの一方は、前記錘力生成部側に固定され、他方は、自由端であって、前記浮力生成部から突出した前記長さは、該円柱体全長の１／３以下であることを特徴とする請求項１記載のサヨリ釣用遠投浮き。
【請求項３】
前記錘力生成部を形成する樹脂の比重が１．２以上であり、前記浮力生成部を形成する樹脂の比重が１．０未満であって、
前記錘力生成部に対する前記浮力生成部の長さの比が１．０から１．５の範囲内であることを特徴とする請求項１記載のサヨリ釣用遠投浮き。
【請求項４】
両端が次第に細くなった円柱体の一方の側は、海水よりも比重の小さい浮力生成部が形成され、他方の側は、海水よりも比重の大きい錘力生成部が形成され、該円柱体を貫通し該浮力生成部側から突出した軸に複葉の翼が回転自在かつ移動自在に軸支されたサヨリ釣用遠投浮きと、前記翼が軸支された前記軸の自由端に撚糸で繋がれた第1猿環と、前記第1猿環に硬目糸で繋がれた第２猿環と、を備え、前記第1猿環に道糸を繋ぎ、前記第２猿環にハリスを繋ぐことを特徴とするサヨリ釣用遠投仕掛け。
【考案の詳細な説明】
【技術分野】
【０００１】
本考案は、遠投してサヨリを釣る際に使用するサヨリ釣用遠投浮き及び投げ竿に取り付けてサヨリを釣るためのサヨリ釣用遠投仕掛けに関するものである。
【背景技術】
【０００２】
サヨリは、細長くてサンマによく似た魚体をなし、下顎が飛び出しているという特長を有する。日本各地に分布し、内湾の河口域や沿岸部などの海面近くを群がって泳ぎ、長い下顎で動物性プランクトンや小さなエビ類を捕食する回遊魚で、最大４０ｃｍ程度にまで成長する。岸辺近くに群れるエンピツサヨリは、撒き餌で引きつけ、延べ竿で釣る方法を用い、岸辺から遠く離れた場所を回遊する大型のサヨリは、リール竿にコマセの入った飛ばしかごを取り付け、それを遠投して釣る方法を用いるのが一般的である。飛ばしかごを遠投する方法は、飛ばしかごよりもハリス側又は道糸側に浮きを取付け、釣り針を海面から数十センチメートル下又は水底付近に配置して魚信を得やすくするなど、いろいろな仕掛けが開発されている。
例えば、うき本体と、集魚用餌入り容器と、おもりと、を一体化し、浮きのトップが横臥したときに魚信があったことを知る横臥式サヨリ釣用うきが提案されている（特許文献１参照）。また、初心者でも仕掛けを遠方まで投げることができ、しかも当たりを敏感に感知して合わせのタイミングも執りやすいように、比重の大きい重力受部と、比重の小さな浮力受部と、釣り糸連結部とを有し、水底近くで捕食する魚を釣ることを可能にした魚釣用錘が提案されている（特許文献２参照）。他方、浮き下にコマセを入れるカゴをつり下げると、遠投したときに空中あるいは海中で糸が絡みやすいので、遠投には高度の技術を必要とする。そこで、うきと、コマセかごと、浮力調節海水タンク（錘）とを一体化し、糸が絡み難くしたコマセかご付きうきが提案されている（特許文献３参照）。また、シャフトと、シャフトの中途に設けた浮き本体部と、釣り場の水より比重が大きく、シャフト下端部と浮き本体部との間をスライドする遊動錘と、を備えることにより、キャステイングする際の遠投性やコントロール性に優れ、かつ感度もよい釣用うきが提案されている（特許文献４参照）。
【先行技術文献】
【特許文献】
【０００３】
【特許文献１】特開平０４−６５０７６号公報
【特許文献２】特開平１１−２２５６３８号公報
【特許文献３】特開２００６−５１００９号公報
【特許文献４】特開２０１４−５４１０６号公報
【考案の概要】
【考案が解決しようとする課題】
【０００４】
しかしながら、コマセかごは、遠投する際にコマセが飛散するので、遠投距離が制約される。また、近年、サヨリにも好適な疑似餌が開発されたので、遠投の際に必ずしもコマセかごを使用する必要がない。また、遠投する距離や潮の流れの速度に応じて浮きや錘のサイズをその都度選択するのは初心者には煩わしい。
本考案は、上記の事情に鑑み、遠投する際に距離を稼げる上、方向性もよく、海面に着水してから、手元に引き寄せるまで視認するのが容易で、かつ魚信を察知可能なサヨリ釣用遠投浮き及びサヨリ釣用遠投仕掛けを提供することを目的とする。
【課題を解決するための手段】
【０００５】
本考案のサヨリ釣用遠投浮きは、両端が次第に細くなった円柱体に複葉の翼が軸支されたサヨリ釣用遠投浮きであって、上記円柱体は、海水よりも比重が小さい浮力生成部と海水よりも比重が大きい錘力生成部とを有し、上記翼は、上記浮力生成部の端から所定長突出した軸に回転自在、かつ移動自在に軸支されたことを特徴とする。
このように、海水よりも比重が小さい浮力生成部と海水よりも比重が大きい錘力生成部とを結合し、両端が次第に細くなった円柱体を形成し、浮力生成部の先端に複葉の翼が軸支されているので、投げ竿により遠くまで投げることができる。また、遠投して海水に着水したときに翼を上に向けて浮遊するので、遠方から視認することができるうえ、ハリスを海面下数十センチの範囲に配置し、魚信を察知することができる。
ここで、上記軸は、上記円柱体を貫通した両端それぞれに環状部が形成され、該環状部それぞれのうちの一方は、上記錘力生成部側に固定され、他方は、自由端であって、上記浮力生成部から突出した上記長さは、該円柱体全長の１／３以下であることが好ましい。
このようにすれば、翼が回転自在、かつ移動自在に軸支されるので、狙った方向に遠投することができる上、風が吹いたとき、円柱体が回転して、ハリスが移動するのを防止できる。
また、上記錘力生成部を形成する樹脂の比重が１．２以上であり、上記浮力生成部を形成する樹脂の比重が１．０未満であって、上記錘力生成部に対する上記浮力生成部の長さの比が１．０から１．５の範囲内であることが好ましい。
このように、比重が異なる２種類の樹脂を用いて、所定の長さに設定すれば、投げ竿により遠くまで投げることと着水後に浮遊することの双方を両立させることが可能である。
【０００６】
本考案のサヨリ釣用遠投仕掛けは、両端が次第に細くなった円柱体の一方の側は、海水よりも比重の小さい浮力生成部が形成され、他方の側は、海水よりも比重の大きい錘力生成部が形成され、該円柱体を貫通し該浮力生成部側から突出した軸に複葉の翼が回転自在かつ移動自在に軸支されたサヨリ釣用遠投浮きと、上記翼が軸支された上記軸の自由端に撚糸で繋がれた第1猿環と、上記第1猿環に硬目糸で繋がれた第２猿環と、を備え、上記第1猿環に道糸を繋ぎ、上記第２猿環にハリスを繋ぐことを特徴とする。
このように、海水よりも比重が小さい浮力生成部と海水よりも比重が大きい錘力生成部とを結合し、両端が次第に細くなった円柱体を形成し、浮力生成部の先端に複葉の翼が軸支されたサヨリ釣用遠投浮きの軸に猿環を繋ぎ、道糸とハリスを繋げば、遠投する際の方向性がよい上に距離を稼げ、さらにサヨリ釣用遠投浮きを遠方から視認できる。また、ハリスを海面下数十センチの範囲に配置することができるので、岸辺から遠く離れた海面近傍を回遊する大型のサヨリを釣ることができる。
【考案の効果】
【０００７】
本考案のサヨリ釣用遠投浮き又はサヨリ釣用遠投仕掛けを用いれば、投げ竿により遠くまで投げることができるうえ、海水に着水したときに翼を上に向けて浮遊するので、遠方からでも視認することができる。また、ハリスを海面下数十センチの範囲内に配置することができるので、岸辺から遠く離れた海面近傍を回遊する大型のサヨリを釣ることができる。
【図面の簡単な説明】
【０００８】
【図１】図１は、本実施形態のサヨリ釣用遠投浮きの一例を示す図である。
【図２】図２は、本実施形態のサヨリ釣用遠投浮きの全ての構成部品を示す斜視図である。
【図３】図３は、本実施形態のサヨリ釣用遠投浮きの構成部品の錘力生成部の正面及び側面を示す図である。
【図４】図４は、本実施形態のサヨリ釣用遠投浮きの構成部品の浮力生成部の正面及び側面を示す図である。
【図５】図５は、本実施形態のサヨリ釣用遠投浮きの構成部品のプロペラの正面及び側面を示す図である。
【図６】図６は、サヨリ釣用遠投浮きの重さを３０グラムに設定して形成した実施例を示す図である。
【図７】図７は、サヨリ釣用遠投浮きの重さを３５グラムに設定して形成した実施例を示す図である。
【図８】図８は、サヨリ釣用遠投浮きの重さを４０グラムに設定して形成した実施例を示す図である。
【図９】図９は、本実施形態のサヨリ釣用遠投仕掛けの一例を示す図である。
【図１０】図１０は、本実施形態のサヨリ釣用遠投浮きを遠投するときの挙動の一例を示す図である。
【図１１】図１１は、本実施形態のサヨリ釣用遠投仕掛けを使用してサヨリを釣る場合のサヨリ釣用遠投浮きの挙動の一例を示す図である。
【考案を実施するための形態】
【０００９】
以下に本考案のサヨリ釣用遠投浮き及びサヨリ釣用遠投仕掛けの実施形態について図に基づいて説明する。
図１は、本実施形態のサヨリ釣用遠投浮きの一例を示す図である。
図１に示す本実施形態のサヨリ釣用遠投浮き１は、樹脂で形成され、両端が次第に細くなった円柱体２と、その円柱体２を長手方向に貫通し、一方の端から所定長突き出して自由端を形成した金属製の軸３と、突き出した軸に回転自在かつ移動自在に軸支された樹脂製のプロペラ（本考案の「複葉の翼」に相当する。以下、同じ）４と、を備えている。
円柱体２は、比重が海水よりも小さい浮力生成部５と比重が海水よりも大きい錘力生成部６とを有し、それらの同径の面を接着剤で結合することにより形成され、両端の中心を貫通する穴２aが設けてある。
浮力生成部５は、比重が１．０未満の樹脂、例えばポリエチレン、ポリプロピレン、発泡ポリスチレンなどが用いられ、円柱体２の先端を円錐形あるいは紡錘形に加工するか、あるいは射出成型することにより形成する。
錘力生成部６は、比重が１．２以上の樹脂、例えばポリアセタール、塩化ビニール、ナイロン、ポリカーボネートなどが用いられ、円柱体２の先端を円錐形あるいは紡錘形に加工するか、あるいは射出成型することにより形成する。
軸３は、真直な金属線で、一端にリング３aが形成され、他端を円柱体の穴２aに通した後、錘力生成部６の先端にそのリング３aで固定される。そして、浮力生成部５の先端から突出した軸３にプロペラ４を軸支し、自由端となる先端にリング３ｂを形成する。浮力生成部５の先端から突出した軸３の長さは、円柱体２の長さの１／３以下に設定されるので、軸３の全長は、円柱体２の長さの３／３倍から４／３倍に設定される。なお、自由端を形成するリング３ｂには、道糸や、ハリスを繋ぐ硬めの糸が繋がれる。
ここで、本実施形態の軸３は、円柱体２の長さの３／３倍から４／３倍に設定し、円柱体２を貫通するように構成されているが、必ずしも円柱体２より長くする必要はなく、円柱体２より短くして接着剤で円柱体２の内部に固定したものであってもよい。ただし、浮力生成部５の先端から軸３が突出し、突出する長さが円柱体２の長さの１／３以下となるように設定する必要がある。
プロペラ４は、３枚ばねで、樹脂により形成される。プロペラ４の長さは、浮力生成部５の先端から突出した軸３よりも短く設定してあり、回転自在かつ移動自在に軸支されるように、中心に穴２aが設けてある。そして、羽根４aは流線型をなし、その幅（後端における円柱状部材との最大距離）は、円柱体２の断面半径よりもやや大きくなっている。また羽根４aの長さは、浮力生成部５から突き出した軸３の長さよりも長くなっている。なお、樹脂は、浮力生成部５と同様に、比重が１．０未満の樹脂で成型加工することが好ましい。
ここで、プロペラ４は、３枚ばねで構成されているが、必ずしも３枚ばねにする必要はなく、４枚ばねであってもよい。
【００１０】
図２から図５は、本実施形態のサヨリ釣用遠投浮きの構成部品を示す図であり、図２は、全ての構成部品を示す斜視図、図３は、錘力生成部の正面及び側面を示す図、図４は、浮力生成部の正面及び側面を示す図、図５は、プロペラの正面及び側面を示す図である。
図２に示すように、サヨリ釣用遠投浮き１は、円柱体２を構成する錘力生成部６と浮力生成部５、及びプロペラ４、並びにそれらの中心に開けた穴２aを貫通し、それらを一体化する軸３を備えている。
【００１１】
図３に示す錘力生成部６は、一方の端に円形の断面が形成され、他方の端は次第に細くなり円錐面が形成され、中心に穴を設けた円柱体２の一部を構成している。なお円錐面における円錐の頂角Ａは、４０度乃至５０度になるように設定されている。
【００１２】
図４に示す浮力生成部５は、中心に穴２aを設けた円柱体２で、一方の端は円形の断面が形成され、他方の端は次第に細くなり円錐面が形成されている。なお円錐面における円錐の頂角Ａは、錘力生成部６と同様に、４０度乃至５０度になるように設定されている。また、浮力生成部５の長さは、錘力生成部６の長さの１．０から１．５倍に設定されるが、サヨリ釣用遠投浮き１が海面に着水したとき、すくなくとも浮力生成部５の先端が海面よりも上に出るように、錘力生成部６及び浮力生成部５それぞれの比重に応じてその倍数、すなわち錘力生成部６及び浮力生成部５それぞれの長さが調整される。
【００１３】
図５に示すプロペラ４は、中心に穴２aを設けた円柱状部材から３枚の羽根４aが相互に１２０度をなして放射状に形成されている。羽根４aは流線型をなし、その幅（後端における円柱状部材との最大距離）は、円柱体２の断面半径よりもやや大きくなる程度に、また長さは、浮力生成部５から突き出した軸３の長さよりも長くなるように設定される。
【００１４】
図６から図８は、サヨリ釣用遠投浮きの重さを３０グラム、３５グラム、４０グラムに設定して形成した実施例を示す図である。
図６に示す３０グラムのサヨリ釣用遠投浮き１は、円柱体２の直径が２５ｍｍ、円錐の頂角Aが４４度、錘力生成部６の長さが５３ｍｍ、浮力生成部６の長さが４８ｍｍ、突き出した軸３の長さが４９ｍｍ、プロペラ４の長さが２３ｍｍ、サヨリ釣用遠投浮き1の全長が１５０ｍｍである。
図７に示す３５グラムのサヨリ釣用遠投浮き1は、円柱体２の直径が２５ｍｍ、円錐の頂角Aが４４度、錘力生成部６の長さが５７ｍｍ、浮力生成部５の長さが５０ｍｍ、突き出した軸３の長さが４９ｍｍ、プロペラ４の長さが２３ｍｍ、サヨリ釣用遠投浮き１の全長が１５５ｍｍである。
【００１５】
図８に示す４０グラムのサヨリ釣用遠投浮き１は、円柱体２の直径が２５ｍｍ、円錐の頂角Aが４４度、錘力生成部６の長さが６６ｍｍ、浮力生成部５の長さが５５ｍｍ、突き出した軸３の長さが３９ｍｍ、プロペラ４の長さが２３ｍｍ、サヨリ釣用遠投浮き1の全長が１６０ｍｍである。
【００１６】
図９は、本実施形態のサヨリ釣用遠投仕掛けの一例を示す図である。
図９に示すサヨリ釣用遠投仕掛け２０は、本実施形態のサヨリ釣用遠投浮き1のプロペラ４が軸支された軸３のリング３ｂに撚糸７を繋ぎ、その撚糸７に第1猿環８を繋ぎ、その第1猿環８に硬目糸９で第２猿環１０を繋いだものである。そして、サヨリを釣るときは、リール投げ竿の道糸１１に第1猿環８を繋ぎ、第２猿環１０にハリス１２を繋ぐ。
【００１７】
図１０及び図１１は、本実施形態のサヨリ釣用遠投浮き、あるいはサヨリ釣用遠投仕掛けを使用してサヨリを釣る場合のサヨリ釣用遠投浮きの挙動を一例として示す図である。
図１０に示すように、リール竿を振ってサヨリ釣用遠投浮き１を矢印方向に遠投すると、サヨリ釣用遠投浮き１は、重量が大きい錘力生成部６が前方、浮力生成部５が後方になって１００ｍから１３０ｍ先に飛行して海面に着水する。その場合、浮力生成部５から突き出した軸３にプロペラ４が回転自在、かつ移動自在に軸支されているので狙った場所に向かって真っ直ぐに飛行する。一般に、リール竿を振ってサヨリ釣用遠投浮き１を遠投する場合には、サヨリ釣用遠投浮き１が重いほど遠心力が大きくなるので、サヨリ釣用遠投浮き１を遠くまで飛ばすことが可能であり、その場合、先端が円錐面であれば、受ける空気抵抗を少なくすることができる。
【００１８】
図１１に示すように、サヨリ釣用遠投浮き１が着水すると、錘力生成部６は海水中に沈み、浮力生成部５はプロペラ４を上に向けて浮くので、サヨリ釣用遠投浮き１は、少なくともプロペラ４が視認できる状態で海面を浮遊する。そして、第２猿環１０に繋いだハリス１２が海面下数十センチメートル付近に配置されるので、リールを巻いて矢印方向に引き寄せることにより、海面Ｓ付近を回遊するサヨリを釣ることができる。
【産業上の利用可能性】
【００１９】
サヨリ釣りのみならず、大型魚を釣る場合の遠投浮きとしても適用できる。
【符号の説明】
【００２０】
１  サヨリ釣用遠投浮き  
２  円柱体
２a 穴
３  軸
３a、３b  リング
４  プロペラ
４ａ  羽根
５  錘力生成部
６  浮力生成部
７  撚糸    
８  第１猿環
９  硬目糸
１０  第２猿環
１１  道糸
１２  ハリス
２０  サヨリ釣用遠投仕掛け
Ａ  円錐の頂角
Ｓ  海面  
【図１】
0003203436.tif 000003
【図２】
0003203436.tif 000004
【図３】
0003203436.tif 000005
【図４】
0003203436.tif 000006
【図５】
0003203436.tif 000007
【図６】
0003203436.tif 000008
【図７】
0003203436.tif 000009
【図８】
0003203436.tif 000010
【図９】
0003203436.tif 000011
【図１０】
0003203436.tif 000012
【図１１】
0003203436.tif 000013